(57)【要約】  入力映像ソースがシネマソースであるとき、ノイズが多く含まれる入力映像ソースであっても正確にプルダウン検出することができるように、入力映像信号とそのフレーム遅延させた映像信号とのフレーム差分値から検出したプルダウン検出状態をもとに第１のノイズ除去回路（１００）のゲインを制御することで、フレーム差分の大小差を広げ、大小を判別する比較閾値を安定な位置に挿入してプルダウン検出回路（１０１）の検出精度を高める。また、ＩＰ変換回路（１０２）によるインターレース／プログレッシブ変換の後、プログレッシブ映像信号を第２のノイズ除去回路（１０３）に通すことで、もともと入力映像信号に含まれていたノイズも除去し、高品位な出力映像信号を得る。
2009118977.tif 000002
【特許請求の範囲】
【請求項１】
入力映像信号に含まれるノイズを除去する第１のノイズ除去部と、
前記入力映像信号がプルダウンの規則性を持つシネマソースであるかどうかを判定するプルダウン検出部と、
前記入力映像信号であるインターレース信号を前記プルダウン検出部の判定結果に応じた方式でプログレッシブ信号に変換するＩＰ変換部と、
前記変換後のプログレッシブ信号からノイズを除去する第２のノイズ除去部とを備え、
前記第１のノイズ除去部は、前記プルダウンの検出状態をもとにノイズ除去のゲインを調整することを特徴とする映像処理装置。
【請求項２】
請求項１記載の映像処理装置において、
前記第１のノイズ除去部は、前記プルダウンの検出状態に従い、特定のフィールドにてノイズ除去のゲインを強くすることを特徴とする映像処理装置。
【請求項３】
請求項１記載の映像処理装置において、
前記第２のノイズ除去部は、前記プルダウンの検出結果をもとにノイズ除去を行うことを特徴とする映像処理装置。
【請求項４】
請求項１記載の映像処理装置において、
前記プルダウン検出部は、前記入力映像信号のフレーム差分の大小差を広げた状態で比較閾値を変動させてプルダウン検出を精度良く行うことを特徴とする映像処理装置。
【請求項５】
請求項１記載の映像処理装置において、
前記入力映像信号がシネマソースか通常のビデオソースかに応じてノイズ除去方法を選択することを特徴とする映像処理装置。
【請求項６】
入力映像信号に含まれるノイズを除去する第１のノイズ除去ステップと、
前記入力映像信号がプルダウンの規則性を持つシネマソースであるかどうかを判定するプルダウン検出ステップと、
前記入力映像信号であるインターレース信号を前記プルダウン検出ステップの判定結果に応じた方式でプログレッシブ信号に変換するＩＰ変換ステップと、
前記変換後のプログレッシブ信号からノイズを除去する第２のノイズ除去ステップとを備え、
前記第１のノイズ除去ステップは、前記プルダウンの検出状態をもとにノイズ除去のゲインを調整することを特徴とする映像処理方法。
【発明の詳細な説明】
【技術分野】
【０００１】
本発明は、入力された映像信号が２：３プルダウンされ、かつノイズを多く含んでいる場合でも精度良くプルダウン検出をすることができ、かつ入力映像信号に含まれるノイズ除去も同時に行い、高画質な出力映像信号を得る映像処理装置に関するものである。
【背景技術】
【０００２】
シネマ（映画）ソースは２４Ｈｚのフレームで作成され、その静止コマをＮＴＳＣに準拠した６０Ｈｚの映像信号に変換するのに２：３プルダウン手法が用いられている。２：３プルダウンされた入力映像信号は、５フィールドに１回、フレーム差分が０になる（小さくなる）という特徴があり、このシーケンス（小→大→大→大→大→小の規則性）を検出し、入力ソースがシネマソースであると判断し、６０Ｉ（毎秒６０フィールドのレートのインターレース映像信号）入力にインターレース／プログレッシブ変換を施し、６０Ｐ（毎秒６０フレームのレートのプログレッシブ映像信号）出力することで、もとの静止コマを忠実に再現することができる。そのためプルダウンの規則性を通常のビデオソースと誤検出することなく、精度良く検出する方法が数多く考えられている。【０００３】
しかし、入力映像信号は、形式がデジタルでもアナログでもノイズが存在し、特にアナログのときはノイズが顕著で、そのためノイズを考慮したプルダウン検出は精度向上のために必須である。【０００４】
ノイズを含む入力ソースの対策として、ノイズの量そのものを検出して、プルダウン検出の方法を変える手法がある（例えば、特許文献１、２参照）。【０００５】
特許文献１では、入力映像信号のノイズ量を検出するノイズ検出回路を備え、その量に応じてフィルムモード検出の比較レベルをコントロールすることで検出を行っている。【０００６】
特許文献２では、映像信号のフレーム差分の分布量から、入力された映像信号にノイズが含まれているか否かを判断し、ノイズありなしの検出シーケンスのテーブルを変えて検出を行っている。
【特許文献１】特開平１１−３４１４４４号公報
【特許文献２】特開２００７−３００１５２号公報
【発明の開示】
【発明が解決しようとする課題】
【０００７】
しかし、特許文献１や特許文献２においても、オリジナルのソースのフレーム差分の大小差が大きいときには有効だが、コンテンツによってはフレーム差分の大小差が小さいものも存在するので、入力映像信号に付加されたノイズ量が大きい場合にはフレーム差分の大小区別が困難になり、プルダウン検出ができなくなる、つまりプルダウン検出状態から外れてしまい、通常ビデオ信号と同じＩＰ変換処理を行い、スムーズでなく、フリッカのように出力映像がぶれて見える問題がある。【０００８】
また、プルダウン検出の前にノイズ除去を行えば入力映像信号のノイズ量は減少するが、ノイズ除去のゲインを大きくしすぎると、逆にフレーム差分の大小差が小さくなりプルダウンの検出が困難になり、更にオリジナルソース自体をノイズ除去処理によりレベル的に変化させるので、ＩＰ変換した後、出力映像に対し本来の滑らかさが失われてしまう問題もある。【０００９】
本発明の目的は、オリジナルソースにフレーム差分の大小差が小さいシーンが含まれ、ノイズが付加された場合にでも、精度良くプルダウン検出を行い、更に入力映像信号に含まれるノイズも除去することで、高画質な映像出力が得られる映像処理装置を提供することにある。
【課題を解決するための手段】
【００１０】
本発明の映像処理装置は、上記の課題を解決するために、入力映像信号に含まれるノイズを除去する第１のノイズ除去部と、前記入力映像信号がプルダウンの規則性を持つシネマソースであるかどうかを判定するプルダウン検出部と、前記入力映像信号であるインターレース信号を前記プルダウン検出部の判定結果に応じた方式でプログレッシブ信号に変換するＩＰ変換部と、前記変換後のプログレッシブ信号からノイズを除去する第２のノイズ除去部とを備え、前記第１のノイズ除去部におけるゲインは、前記プルダウン検出部における検出状態により制御されることを特徴とする。【００１１】
また、前記第２のノイズ除去部はプルダウン検出結果により制御されることを特徴とする。
【発明の効果】
【００１２】
本発明によれば、オリジナルソースのフレーム差分がもともと小さいシーンにて多くのノイズが含まれている場合でも、フレーム差分が０になるタイミングにてノイズ除去効果を大きくし、フレーム差分の大小差を広げて安定した比較閾値を用いてプルダウンのシーケンスを検出するので、精度良くプルダウン状態を検出することができる。【００１３】
また、本発明によれば、精度良くプルダウン検出したのち、ＩＰ変換を行い、その後に残りのノイズも除去できるので、高画質な出力映像信号を得ることができる。
【図面の簡単な説明】
【００１４】
【図１】図１は、本発明の実施形態に係る映像処理装置の全体構成を示すブロック図である。
【図２】図２は、２：３プルダウン入力映像信号のタイミングと、フレーム差分とノイズ除去ゲイン制御方法との関係とを示す図である。
【図３】図３は、入力映像信号がシネマソースである場合のフレーム差分累積値とフィールド単位の時間との関係を示す図である。
【図４】図４は、入力映像信号がシネマソースである場合のフレーム差分累積値と大小比較閾値を制御することとを示す図である。
【図５】図５は、プルダウンのシーケンス検出状態により図１中の第１のノイズ除去回路のゲインを制御することを示す図である。
【図６】図６は、図１中の第１のノイズ除去回路の詳細構成を説明するブロック図である。
【図７】図７は、図１中のプルダウン検出回路の詳細構成を説明するブロック図である。
【符号の説明】
【００１５】
１００  第１のノイズ除去回路
１０１  プルダウン検出回路
１０２  ＩＰ変換回路
１０３  第２のノイズ除去回路
１０４  フレームメモリ
２００  Ｋ値生成部
４００  フレーム差分検出部
４０１  累積部
４０２  シーケンス検出部
４０３  制御信号発生部
４０４  検出領域設定部
４０５  比較閾値設定部
【発明を実施するための最良の形態】
【００１６】
以下、本発明の実施形態について図面を参照しながら説明する。【００１７】
図１は、本発明の実施形態に係る映像処理装置の全体構成を示す図である。同図に示す映像処理装置は、第１のノイズ除去回路１００と、プルダウン検出回路１０１と、ＩＰ変換回路１０２と、第２のノイズ除去回路１０３と、フレームメモリ１０４とを備えている。【００１８】
第１のノイズ除去回路１００は、図６に示すように巡回型ノイズリダクションの形になっており、外部からの入力映像信号ＩＮとフレームメモリ１０４で遅延させた映像信号ＤＬＹとの差分を計算し、この差分値にＫ値生成部２００で生成したＫ値を乗算させたものを入力映像信号ＩＮに加算して出力信号ＯＵＴとすることで、ノイズを除去する構成になっている。【００１９】
プルダウン検出回路１０１は、図７に示すように、第１のノイズ除去回路１００の出力信号とフレームメモリ１０４で遅延させた映像信号との差分を画素単位で計算するフレーム差分検出部４００と、検出領域設定部４０４で画面位置設定された領域内にてフレーム差分検出部４００の結果を累積する累積部４０１と、フレーム差分の大小を区別するための閾値を発生する比較閾値設定部４０５の設定値に基づき累積部４０１の結果からフィールド単位でプルダウンのシーケンス（フレーム差分の大小パターン）を検出するシーケンス検出部４０２と、シーケンス検出部４０２のプルダウン検出状態に基づき、ＩＰ変換のはめ込み方式を制御するための信号を発生する制御信号発生部４０３とを含む構成になっている。【００２０】
ＩＰ変換回路１０２は、プルダウン検出回路１０１のプルダウン検出結果に基づき、通常映像ソースに対する動き適応型ＩＰ変換方式と、シネマソースに対するシネマソースはめ込みＩＰ変換方式とを切り替え、入力インターレース信号をプログレッシブ信号に変換する構成になっている。【００２１】
第２のノイズ除去回路１０３は、プルダウン検出回路１０１のプルダウン検出結果に基づき、ＩＰ変換回路１０２の出力映像信号を、シネマソースの場合はフレームメモリ１０４からの遅延信号との巡回ノイズ除去を行う回路を通し、通常ビデオソースの場合はノイズ除去を行わずにそのままスルーで出力する構成になっている。【００２２】
フレームメモリ１０４は、入力映像信号をフィールド単位で遅延させ出力させる構成になっている。【００２３】
入力映像信号が、プルダウン検出回路１０１の検出結果に基づき、図３のようにフレーム差分の大小差が大きいシーンでなく、図４のようにフレーム差分の大小差が小さいシーンにてもプルダウン検出の対応を可能にする制御方法を説明する。【００２４】
図２は、２：３プルダウン入力映像信号のタイミングと、フレーム差分とノイズ除去ゲイン制御方法との関係とを示している。現フィールド映像において、Ａｔ、Ｂｔ、Ｃｔ、Ｄｔ及びＥｔはそれぞれトップフィールドを、Ａｂ、Ｂｂ、Ｃｂ、Ｄｂ及びＥｂはそれぞれボトムフィールドを表している。２フィールド遅延映像において、Ｚｔはトップフィールドを、Ｚｂはボトムフィールドをそれぞれ表している。【００２５】
入力ソースがシネマソースの場合は、図２のフィールド時間Ｔ１〜Ｔ１２の単位で示したタイミングチャートのように、５フィールドに１回フレーム差分が０（小）になる特徴がある。具体的にはＴ５、Ｔ１０の時間である。このＴ５やＴ１０の時間にて入力映像信号とフレーム遅延させた映像信号とのフレーム差分が０でないのはノイズが存在するためで、Ｔ５及びＴ１０のタイミングにて第１のノイズ除去回路１００のノイズ除去ゲイン（ＮＲゲイン）を強くする一方、他の時間は弱く設定する（図５のβ）。このようにすることで、通常、ビデオ信号に対する画像の動きやエッジ状態によりＫ値を生成しているＫ値生成部２００をプルダウン検出状態のゲイン制御に切り替えることによりＴ５及びＴ１０における入力信号のノイズ成分が除去され、プルダウン検出回路１０１にてフレーム差分「小」の差分累積値がゲインを意図的に強くするときに比べて小さくなり、フレーム差分の大小差が広がる（図４）。この差分の広がりに伴い、比較閾値設定部４０５で設定する大小比較閾値を適切な位置に設定させることにより、プルダウンの大小シーケンスが誤りなく検出され、ＩＰ変換回路１０２にてシネマはめ込みＩＰ変換方式が選択され、高画質な映像出力が可能となる。【００２６】
本発明では、第１及び第２のノイズ除去回路１００，１０３としてノイズ除去回路が複数存在しているが、入力ソースがシネマソースのときには、第１のノイズ除去回路１００を、ある特定フィールドにてノイズ除去のゲインを強くかけ、フレーム差分の大小差を広げることによりプルダウンの検出精度を上げる用途に使用し、第２のノイズ除去回路１０３をプルダウン検出回路１０１の検出結果に基づき残りの時間（フレーム差分が大）に含まれている残ノイズを主に除去する用途として使い分けている。【００２７】
また、第１のノイズ除去回路１００のゲイン制御にて、入力映像信号が通常のビデオソースからシネマソースに切り替わりプルダウンを検出する際に、出力シネマ映像信号の品位を損なわないために、図５で示したようにシーケンスの累積値が増えるに従い（入力ソースがシネマソースである確率が高くなるに従い）、ゲインを小さくする変動方式と切り替えることも可能になっている。図５によれば、横軸のプルダウンのシーケンス累積値が０からα２までであれば、通常ＩＰ変換を行う。ただし、α１からα２までの間では、シーケンス累積値の増加に応じてノイズ除去強度を徐々に弱めていく。そして、α２以上にてシネマ検出状態を確定させ、通常ＩＰ変換からシネマＩＰ変換に動作を切り替える。つまり、ノイズ除去強度を最小値βに固定する。なお、シネマ検出状態からビデオ検出状態（通常ＩＰ変換状態）に戻った時には、第１及び第２のノイズ除去回路１００，１０３の制御方法を通常のビデオ信号時の制御に戻す。【００２８】
以上のように、本実施形態は、プルダウンの規則性に基づきノイズ除去方式を変更することによりプルダウンの検出精度を向上させ、かつ入力映像信号に含まれるノイズの除去も行うので、入力映像信号がフレーム差分の大小差が小さいシーンを含みかつノイズを多く含む場合でも、高画質に映像出力することができる。
【産業上の利用の可能性】
【００２９】
本発明に係る映像処理装置は、高精度なプルダウン検出性能と高いノイズ除去性能とを有し、プラズマＴＶ、液晶ＴＶなどのプログレッシブパネル表示の高画質化に有用である。
【図１】
2009118977.tif 000003
【図２】
2009118977.tif 000004
【図３】
2009118977.tif 000005
【図４】
2009118977.tif 000006
【図５】
2009118977.tif 000007
【図６】
2009118977.tif 000008
【図７】
2009118977.tif 000009
【手続補正書】
【提出日】平成22年7月26日(2010.7.26)
【手続補正１】
【補正対象書類名】明細書
【補正対象項目名】全文
【補正方法】変更
【補正の内容】
【発明の詳細な説明】
【技術分野】
【０００１】
本発明は、入力された映像信号が２：３プルダウンされ、かつノイズを多く含んでいる場合でも精度良くプルダウン検出をすることができ、かつ入力映像信号に含まれるノイズ除去も同時に行い、高画質な出力映像信号を得る映像処理装置に関するものである。
【背景技術】
【０００２】
シネマ（映画）ソースは２４Ｈｚのフレームで作成され、その静止コマをＮＴＳＣに準拠した６０Ｈｚの映像信号に変換するのに２：３プルダウン手法が用いられている。２：３プルダウンされた入力映像信号は、５フィールドに１回、フレーム差分が０になる（小さくなる）という特徴があり、このシーケンス（小→大→大→大→大→小の規則性）を検出し、入力ソースがシネマソースであると判断し、６０Ｉ（毎秒６０フィールドのレートのインターレース映像信号）入力にインターレース／プログレッシブ変換を施し、６０Ｐ（毎秒６０フレームのレートのプログレッシブ映像信号）出力することで、もとの静止コマを忠実に再現することができる。そのためプルダウンの規則性を通常のビデオソースと誤検出することなく、精度良く検出する方法が数多く考えられている。
【０００３】
しかし、入力映像信号は、形式がデジタルでもアナログでもノイズが存在し、特にアナログのときはノイズが顕著で、そのためノイズを考慮したプルダウン検出は精度向上のために必須である。
【０００４】
ノイズを含む入力ソースの対策として、ノイズの量そのものを検出して、プルダウン検出の方法を変える手法がある（例えば、特許文献１、２参照）。
【０００５】
特許文献１では、入力映像信号のノイズ量を検出するノイズ検出回路を備え、その量に応じてフィルムモード検出の比較レベルをコントロールすることで検出を行っている。
【０００６】
特許文献２では、映像信号のフレーム差分の分布量から、入力された映像信号にノイズが含まれているか否かを判断し、ノイズありなしの検出シーケンスのテーブルを変えて検出を行っている。
【特許文献１】特開平１１−３４１４４４号公報
【特許文献２】特開２００７−３００１５２号公報
【発明の開示】
【発明が解決しようとする課題】
【０００７】
しかし、特許文献１や特許文献２においても、オリジナルのソースのフレーム差分の大小差が大きいときには有効だが、コンテンツによってはフレーム差分の大小差が小さいものも存在するので、入力映像信号に付加されたノイズ量が大きい場合にはフレーム差分の大小区別が困難になり、プルダウン検出ができなくなる、つまりプルダウン検出状態から外れてしまい、通常ビデオ信号と同じＩＰ変換処理を行い、スムーズでなく、フリッカのように出力映像がぶれて見える問題がある。
【０００８】
また、プルダウン検出の前にノイズ除去を行えば入力映像信号のノイズ量は減少するが、ノイズ除去のゲインを大きくしすぎると、逆にフレーム差分の大小差が小さくなりプルダウンの検出が困難になり、更にオリジナルソース自体をノイズ除去処理によりレベル的に変化させるので、ＩＰ変換した後、出力映像に対し本来の滑らかさが失われてしまう問題もある。
【０００９】
本発明の目的は、オリジナルソースにフレーム差分の大小差が小さいシーンが含まれ、ノイズが付加された場合にでも、精度良くプルダウン検出を行い、更に入力映像信号に含まれるノイズも除去することで、高画質な映像出力が得られる映像処理装置を提供することにある。
【課題を解決するための手段】
【００１０】
本発明の映像処理装置は、上記の課題を解決するために、入力映像信号に含まれるノイズを除去する第１のノイズ除去部と、前記入力映像信号がプルダウンの規則性を持つシネマソースであるかどうかを判定するプルダウン検出部と、前記入力映像信号であるインターレース信号を前記プルダウン検出部の判定結果に応じた方式でプログレッシブ信号に変換するＩＰ変換部と、前記変換後のプログレッシブ信号からノイズを除去する第２のノイズ除去部とを備え、前記第１のノイズ除去部は、前記プルダウンの検出状態に従い、特定のフィールドにてノイズ除去のゲインを一定周期で強くすることを特徴とする。
【００１１】
また、前記第２のノイズ除去部は前記プルダウンの検出結果をもとにノイズ除去を行うことを特徴とする。
【発明の効果】
【００１２】
本発明によれば、オリジナルソースのフレーム差分がもともと小さいシーンにて多くのノイズが含まれている場合でも、フレーム差分が０になるタイミングにてノイズ除去効果を大きくし、フレーム差分の大小差を広げて安定した比較閾値を用いてプルダウンのシーケンスを検出するので、精度良くプルダウン状態を検出することができる。
【００１３】
また、本発明によれば、精度良くプルダウン検出したのち、ＩＰ変換を行い、その後に残りのノイズも除去できるので、高画質な出力映像信号を得ることができる。
【発明を実施するための最良の形態】
【００１４】
以下、本発明の実施形態について図面を参照しながら説明する。
【００１５】
図１は、本発明の実施形態に係る映像処理装置の全体構成を示す図である。同図に示す映像処理装置は、第１のノイズ除去回路１００と、プルダウン検出回路１０１と、ＩＰ変換回路１０２と、第２のノイズ除去回路１０３と、フレームメモリ１０４とを備えている。
【００１６】
第１のノイズ除去回路１００は、図６に示すように巡回型ノイズリダクションの形になっており、外部からの入力映像信号ＩＮとフレームメモリ１０４で遅延させた映像信号ＤＬＹとの差分を計算し、この差分値にＫ値生成部２００で生成したＫ値を乗算させたものを入力映像信号ＩＮに加算して出力信号ＯＵＴとすることで、ノイズを除去する構成になっている。
【００１７】
プルダウン検出回路１０１は、図７に示すように、第１のノイズ除去回路１００の出力信号とフレームメモリ１０４で遅延させた映像信号との差分を画素単位で計算するフレーム差分検出部４００と、検出領域設定部４０４で画面位置設定された領域内にてフレーム差分検出部４００の結果を累積する累積部４０１と、フレーム差分の大小を区別するための閾値を発生する比較閾値設定部４０５の設定値に基づき累積部４０１の結果からフィールド単位でプルダウンのシーケンス（フレーム差分の大小パターン）を検出するシーケンス検出部４０２と、シーケンス検出部４０２のプルダウン検出状態に基づき、ＩＰ変換のはめ込み方式を制御するための信号を発生する制御信号発生部４０３とを含む構成になっている。
【００１８】
ＩＰ変換回路１０２は、プルダウン検出回路１０１のプルダウン検出結果に基づき、通常映像ソースに対する動き適応型ＩＰ変換方式と、シネマソースに対するシネマソースはめ込みＩＰ変換方式とを切り替え、入力インターレース信号をプログレッシブ信号に変換する構成になっている。
【００１９】
第２のノイズ除去回路１０３は、プルダウン検出回路１０１のプルダウン検出結果に基づき、ＩＰ変換回路１０２の出力映像信号を、シネマソースの場合はフレームメモリ１０４からの遅延信号との巡回ノイズ除去を行う回路を通し、通常ビデオソースの場合はノイズ除去を行わずにそのままスルーで出力する構成になっている。
【００２０】
フレームメモリ１０４は、入力映像信号をフィールド単位で遅延させ出力させる構成になっている。
【００２１】
入力映像信号が、プルダウン検出回路１０１の検出結果に基づき、図３のようにフレーム差分の大小差が大きいシーンでなく、図４のようにフレーム差分の大小差が小さいシーンにてもプルダウン検出の対応を可能にする制御方法を説明する。
【００２２】
図２は、２：３プルダウン入力映像信号のタイミングと、フレーム差分とノイズ除去ゲイン制御方法との関係とを示している。現フィールド映像において、Ａｔ、Ｂｔ、Ｃｔ、Ｄｔ及びＥｔはそれぞれトップフィールドを、Ａｂ、Ｂｂ、Ｃｂ、Ｄｂ及びＥｂはそれぞれボトムフィールドを表している。２フィールド遅延映像において、Ｚｔはトップフィールドを、Ｚｂはボトムフィールドをそれぞれ表している。
【００２３】
入力ソースがシネマソースの場合は、図２のフィールド時間Ｔ１〜Ｔ１２の単位で示したタイミングチャートのように、５フィールドに１回フレーム差分が０（小）になる特徴がある。具体的にはＴ５、Ｔ１０の時間である。このＴ５やＴ１０の時間にて入力映像信号とフレーム遅延させた映像信号とのフレーム差分が０でないのはノイズが存在するためで、Ｔ５及びＴ１０のタイミングにて第１のノイズ除去回路１００のノイズ除去ゲイン（ＮＲゲイン）を強くする一方、他の時間は弱く設定する（図５のβ）。このようにすることで、通常、ビデオ信号に対する画像の動きやエッジ状態によりＫ値を生成しているＫ値生成部２００をプルダウン検出状態のゲイン制御に切り替えることによりＴ５及びＴ１０における入力信号のノイズ成分が除去され、プルダウン検出回路１０１にてフレーム差分「小」の差分累積値がゲインを意図的に強くするときに比べて小さくなり、フレーム差分の大小差が広がる（図４）。この差分の広がりに伴い、比較閾値設定部４０５で設定する大小比較閾値を適切な位置に設定させることにより、プルダウンの大小シーケンスが誤りなく検出され、ＩＰ変換回路１０２にてシネマはめ込みＩＰ変換方式が選択され、高画質な映像出力が可能となる。
【００２４】
本発明では、第１及び第２のノイズ除去回路１００，１０３としてノイズ除去回路が複数存在しているが、入力ソースがシネマソースのときには、第１のノイズ除去回路１００を、ある特定フィールドにてノイズ除去のゲインを強くかけ、フレーム差分の大小差を広げることによりプルダウンの検出精度を上げる用途に使用し、第２のノイズ除去回路１０３をプルダウン検出回路１０１の検出結果に基づき残りの時間（フレーム差分が大）に含まれている残ノイズを主に除去する用途として使い分けている。
【００２５】
また、第１のノイズ除去回路１００のゲイン制御にて、入力映像信号が通常のビデオソースからシネマソースに切り替わりプルダウンを検出する際に、出力シネマ映像信号の品位を損なわないために、図５で示したようにシーケンスの累積値が増えるに従い（入力ソースがシネマソースである確率が高くなるに従い）、ゲインを小さくする変動方式と切り替えることも可能になっている。図５によれば、横軸のプルダウンのシーケンス累積値が０からα２までであれば、通常ＩＰ変換を行う。ただし、α１からα２までの間では、シーケンス累積値の増加に応じてノイズ除去強度を徐々に弱めていく。そして、α２以上にてシネマ検出状態を確定させ、通常ＩＰ変換からシネマＩＰ変換に動作を切り替える。つまり、ノイズ除去強度を最小値βに固定する。なお、シネマ検出状態からビデオ検出状態（通常ＩＰ変換状態）に戻った時には、第１及び第２のノイズ除去回路１００，１０３の制御方法を通常のビデオ信号時の制御に戻す。
【００２６】
以上のように、本実施形態は、プルダウンの規則性に基づきノイズ除去方式を変更することによりプルダウンの検出精度を向上させ、かつ入力映像信号に含まれるノイズの除去も行うので、入力映像信号がフレーム差分の大小差が小さいシーンを含みかつノイズを多く含む場合でも、高画質に映像出力することができる。
【産業上の利用可能性】
【００２７】
本発明に係る映像処理装置は、高精度なプルダウン検出性能と高いノイズ除去性能とを有し、プラズマＴＶ、液晶ＴＶなどのプログレッシブパネル表示の高画質化に有用である。
【図面の簡単な説明】
【００２８】
【図１】本発明の実施形態に係る映像処理装置の全体構成を示すブロック図である。
【図２】２：３プルダウン入力映像信号のタイミングと、フレーム差分とノイズ除去ゲイン制御方法との関係とを示す図である。
【図３】入力映像信号がシネマソースである場合のフレーム差分累積値とフィールド単位の時間との関係を示す図である。
【図４】入力映像信号がシネマソースである場合のフレーム差分累積値と大小比較閾値を制御することとを示す図である。
【図５】プルダウンのシーケンス検出状態により図１中の第１のノイズ除去回路のゲインを制御することを示す図である。
【図６】図１中の第１のノイズ除去回路の詳細構成を説明するブロック図である。
【図７】図１中のプルダウン検出回路の詳細構成を説明するブロック図である。
【符号の説明】
【００２９】
１００  第１のノイズ除去回路
１０１  プルダウン検出回路
１０２  ＩＰ変換回路
１０３  第２のノイズ除去回路
１０４  フレームメモリ
２００  Ｋ値生成部
４００  フレーム差分検出部
４０１  累積部
４０２  シーケンス検出部
４０３  制御信号発生部
４０４  検出領域設定部
４０５  比較閾値設定部
【手続補正２】
【補正対象書類名】特許請求の範囲
【補正対象項目名】全文
【補正方法】変更
【補正の内容】
【特許請求の範囲】
【請求項１】
入力映像信号に含まれるノイズを除去する第１のノイズ除去部と、
前記入力映像信号がプルダウンの規則性を持つシネマソースであるかどうかを判定するプルダウン検出部と、
前記入力映像信号であるインターレース信号を前記プルダウン検出部の判定結果に応じた方式でプログレッシブ信号に変換するＩＰ変換部と、
前記変換後のプログレッシブ信号からノイズを除去する第２のノイズ除去部とを備え、
前記第１のノイズ除去部は、前記プルダウンの検出状態に従い、特定のフィールドにてノイズ除去のゲインを一定周期で強くすることを特徴とする映像処理装置。
【請求項２】
請求項１記載の映像処理装置において、
前記第２のノイズ除去部は、前記プルダウンの検出結果をもとにノイズ除去を行うことを特徴とする映像処理装置。
【請求項３】
請求項１記載の映像処理装置において、
前記プルダウン検出部は、前記入力映像信号のフレーム差分の大小差を広げた状態で比較閾値を変動させてプルダウン検出を精度良く行うことを特徴とする映像処理装置。
【請求項４】
請求項１記載の映像処理装置において、
前記入力映像信号がシネマソースか通常のビデオソースかに応じてノイズ除去方法を選択することを特徴とする映像処理装置。
【請求項５】
入力映像信号に含まれるノイズを除去する第１のノイズ除去ステップと、
前記入力映像信号がプルダウンの規則性を持つシネマソースであるかどうかを判定するプルダウン検出ステップと、
前記入力映像信号であるインターレース信号を前記プルダウン検出ステップの判定結果に応じた方式でプログレッシブ信号に変換するＩＰ変換ステップと、
前記変換後のプログレッシブ信号からノイズを除去する第２のノイズ除去ステップとを備え、
前記第１のノイズ除去ステップは、前記プルダウンの検出状態に従い、特定のフィールドにてノイズ除去のゲインを一定周期で強くすることを特徴とする映像処理方法。
【手続補正３】
【補正対象書類名】図面
【補正対象項目名】全図
【補正方法】変更
【補正の内容】
【図１】
2009118977.tif 000010
【図２】
2009118977.tif 000011
【図３】
2009118977.tif 000012
【図４】
2009118977.tif 000013
【図５】
2009118977.tif 000014
【図６】
2009118977.tif 000015
【図７】
2009118977.tif 000016
【国際調査報告】
2009118977.tif 000017
2009118977.tif 000018